(57)【要約】【課題】取付け簡単な引き戸の自動閉扉装置を提供する。【解決手段】この装置は、巻回が可能に柔軟とされた閉扉駆動用コード（１８）であって、引き戸（２０）の開閉方向に延びるようにして戸枠に取り付けられるようにした閉扉駆動用コードと、引き戸に対して所定位置の軸線の周りで回転可能に取り付けられた回転部材（３２）、閉扉駆動用コードを回転部材の周面に係合させる係合保持部材（３６）と、引き戸が閉扉位置から開扉位置に向けて動かされるときに回転部材が閉扉駆動用コード上で転動するのに伴い、回転部材を該転動と反対方向に転動させるバネ付勢力を蓄勢するバネ装置とを有する。回転部材とバネ装置はケーシング内に設定され、該ケーシングを、引戸の上縁面の凹部に嵌合固定して設定する。【選択図】          図１
2010255314.tif 000002
【特許請求の範囲】
【請求項１】
引き戸の自動閉扉装置であって、
実質的に長さ方向へは伸びず、且つ、巻回が可能に柔軟とされた閉扉駆動用コードであって、当該閉扉駆動用コードを引き戸の開閉方向に延びるようにして、戸枠の上部枠部に沿って配置される閉扉駆動用コードであって、開扉位置側端部と閉扉位置側端部とを有する閉扉駆動用コードと、
該引き戸に固定される閉扉駆動装置であって、該引き戸に対する固定位置で引き戸の開閉方向に対して直交し水平に延びる軸線の周りで回転可能に取り付けられた回転部材と、該閉扉駆動用コードを該回転部材の周面に係合させ、該引き戸が開閉されるのに伴い該回転部材が該閉扉駆動用コード上で転動するようにする係合保持部材と、引き戸が閉扉位置から開扉位置に向けて動かされるときの該閉扉駆動用コードと該閉扉駆動装置との相対的動きに伴う該回転部材の該閉扉駆動用コード上での転動によって動かされ、該回転部材を該転動と反対方向に転動させるバネ付勢力を蓄勢するバネ部材を備えるバネ装置と、該回転部材、係合保持部材、を有する閉扉駆動装置と
を有し、
引き戸が、その上縁面の該開閉方向における両端部近くにおいて該上縁面上に取り付けられた被ガイド部材を有し、該被ガイド部材が、引き戸の上縁面に対向して水平に延びるように戸枠の上部枠部に設けられたガイド部材に係合して、引き戸が開閉されるときに該ガイド部材によって開閉方向に案内されるようにされており、
該閉扉駆動装置が、該引き戸の上縁面に形成された設定用凹部に嵌合設定されるようになされ、該閉扉駆動用コードが該戸枠の上部枠部に該ガイド部材に沿って配置され該開扉位置側端部及び閉扉位置側端部が該戸枠の上部枠部に取り付けるようになされ、
当該引き戸の自動閉扉装置が、更に、引き戸の該上縁面に設けられた各被ガイド部材に対応して該各被ガイド部材よりも該開閉方向における内側において該引き戸の該上縁面上に取り付けられ、該ケーシングから該開扉位置側端部及び該閉扉位置側端部に延びる閉扉駆動用コードにその下側から係合して上方へ持ち上げるコード持ち上げ部材を有する引き戸の自動閉扉装置。
【請求項２】
該コード持ち上げ部材が、引戸の上縁面に固定される支持部材と、該支持部材に支持され、引戸の開閉方向に対して直交する方向で水平に延びる軸線の周りに回転可能とされたローラを備え、該ローラが該ようになされた請求項１に記載の引戸の自動閉扉装置。
【請求項３】
該閉扉駆動用コードがその長さ方向に沿って一定ピッチで設けられたラック歯を有し、該ローラの周面が該ラック歯に噛合するピッチで設けられた歯を有する請求項２に記載の引き戸の自動閉扉装置。
【請求項４】
該閉扉駆動装置が、ケーシングを有し、該ケーシングが該回転部材、該係合保持部材、及び該バネ装置を保持するようにした請求項１乃至３のいずれかに記載の引き戸の自動閉扉装置。
【請求項５】
被ガイド部材が、該開閉方向における引戸の上部両端の隅部に形成された設定凹部に嵌合固定される基部と、該基部に支持されて該ガイド部材によって案内される上方位置と、該上方位置よりも下方の下方位置との間で変位可能な被ガイドバーとを有し、該コード持ち上げ部材の支持部材が該被ガイド部材の基部に固定されており、該基部を該引戸の設定凹部に嵌合固定することにより当該コード持ち上げ部材を設定するようにした請求項１乃至４のいずれかに記載の自動閉扉装置。
【請求項６】
被ガイド部材が、該開閉方向における引戸の上部両端の隅部に形成された設定凹部に嵌合固定される基部と、該基部に固定された支持部材と、該支持部材に支持され、引戸の開閉方向に対して直交する方向で水平に延びる軸線の周りに回転可能とされ、該ガイド部材によって開閉方向に案内される戸車とを有し、該コード持ち上げ部材の支持部材が該被ガイド部材の基部に固定されており、該基部を該引戸の設定凹部に嵌合固定することにより当該コード持ち上げ部材を設定するようにした請求項１乃至４のいずれかに記載の自動閉扉装置。
【請求項７】
該コード持ち上げ部材が、当該持ち上げ部材の支持部材に設定されて該ローラを回転可能に支持するリンク機構を有し、該リンク機構が、該コード持ち上げ部材が該引戸に取り付けられたときに引戸の上縁面の端部から引戸の開閉方向における外方に延出する設定部材を有し、該設定部材を該上縁面に沿って引戸の開閉方向における内方に押し込むことにより該リンク機構が立ち上がり、該ローラを所定の設定位置とするようにした請求項５又は６に記載の自動閉扉装置。
【請求項８】
該閉扉駆動用コードの該開扉位置側端部に連結されて引き戸の開閉方向で伸縮可能な部材を有し、該開扉位置端部が該伸縮可能な部材を介して該戸枠に取り付けられるようにした請求項１乃至７に記載の引き戸の自動閉扉装置。
【請求項９】
該伸縮可能な部材がコイルバネとされている請求項８に記載の引き戸の自動閉扉装置。
【発明の詳細な説明】
【技術分野】
【０００１】
本発明は引き戸の自動閉扉装置に関する。
【背景技術】
【０００２】
開扉した引き戸を自動的に閉扉する装置には、いくつかの形式があるが、その一つの形式としては、戸枠の上部水平枠部に水平に設定された直線状のラックと、引き戸に固定され、上記ラックと作用的に連結されて引き戸が開扉されたときに、該引き戸を閉扉するよう駆動する閉扉駆動装置とからなるものがある。具体的には、閉扉駆動装置は、引き戸に固定されるケーシングと、該ケーシングに回転自在に取り付けられ上記ラックと噛合されて引き戸を開閉することに伴ってラックに沿って転動する歯車と、該歯車との間に上記ラックを通して該ラックと上記歯車との噛合を維持するホルダーと、引き戸を開扉するときに上記歯車がラックに沿って転動することに伴い該引き戸を閉扉させるバネ付勢力を蓄勢するバネ装置と、開扉されて人の手が離された引き戸が上記バネ装置によって閉扉されるときに制動をかける制動装置を有する。
【０００３】
この形式の自動閉扉装置では、通常、金属若しくは硬質プラスチックにより形成されるラックの可撓性を利用し、引き戸が開閉時に上下したとしても、それに応じて該ラックが撓んで歯車との噛合を維持し、引き戸の開閉に支障がないようにしている。
【０００４】
しかし、この自動閉扉装置の円滑な作動を行うためには、直線状のラックを水平に設定することが基本的に必要であり、更に、歯車とホルダーとの間に該ラックを水平に通すように、歯車とホルダーとの間に形成されるラックを通すためのラック挿通路を水平になるようにして自動閉扉装置を引き戸に固定する必要がある。このため、その設定作業は難しい。
【０００５】
これに対し、例えば、特開平１１−１５２９５５には、閉扉駆動装置を既設の引き戸の外表面に取り付けるようにした自動閉扉装置であって、ラックの両端を上下動自在に取り付けるようにすることにより、ラックを厳密に水平に設定する必要のないようにした装置が開示されている。しかし、この種の装置においても、その作動を円滑なものにするためには、ラックとホルダーとの間に画定されるラック通路を水平にすることが必要とされ、その取り付けには熟練を要する。
【０００６】
【特許文献１】特開平１１−１５２９５５
【発明の開示】
【発明が解決しようとする課題】
【０００７】
本発明は、このような点に鑑み、上記ラックに相当する部材（本発明では閉扉駆動用コードとしている）や閉扉駆動装置が水平に設定されなくとも、円滑な引き戸の開閉を行うことができるようにした引き戸の自動閉扉装置を提供することを目的とする。
【課題を解決するための手段】
【０００８】
本発明は、
引き戸の自動閉扉装置であって、
実質的に長さ方向へは伸びず、且つ、巻回が可能に柔軟とされた閉扉駆動用コードであって、当該閉扉駆動用コードを引き戸の開閉方向に延びるようにして、戸枠の上部枠部に沿って配置される閉扉駆動用コードであって、開扉位置側端部と閉扉位置側端部とを有する閉扉駆動用コードと、
該引き戸に固定される閉扉駆動装置であって、該引き戸及に対する固定位置で引き戸の開閉方向に対して直交し水平に延びる軸線の周りで回転可能に取り付けられた回転部材と、該閉扉駆動用コードを該回転部材の周面に係合させ、該引き戸が開閉されるのに伴い該回転部材が該閉扉駆動用コード上で転動するようにする係合保持部材と、引き戸が閉扉位置から開扉位置に向けて動かされるときの該閉扉駆動用コードと該閉扉駆動装置との相対的動きに伴う該回転部材の該閉扉駆動用コード上での転動によって動かされ、該回転部材を該転動と反対方向に転動させるバネ付勢力を蓄勢するバネ部材を備えるバネ装置と、該回転部材、係合保持部材、を有する閉扉駆動装置と
を有し、
引き戸が、その上縁面の該開閉方向における両端部近くにおいて該上縁面上に取り付けられた被ガイド部材を有し、該被ガイド部材が、引き戸の上縁面に対向して水平に延びるように戸枠の上部枠部に設けられたガイド部材に係合して、引き戸が開閉されるときに該ガイド部材によって開閉方向に案内されるようにされており、
該閉扉駆動装置が、該引き戸の上縁面に形成された設定用凹部に嵌合設定されるようになされ、該閉扉駆動用コードが該戸枠の上部枠部に該ガイド部材に沿って配置され該開扉位置側端部及び閉扉位置側端部が該戸枠の上部枠部に取り付けるようになされ、
当該引き戸の自動閉扉装置が、更に、引き戸の該上縁面に設けられた各被ガイド部材に対応して該各被ガイド部材よりも該開閉方向における内側において該引き戸の該上縁面上に取り付けられ、該ケーシングから該開扉位置側端部及び該閉扉位置側端部に延びる閉扉駆動用コードにその下側から係合して上方へ持ち上げるコード持ち上げ部材を有する引き戸の自動閉扉装置を提供する。
【０００９】
この自動閉扉装置においては、閉扉駆動用コードがその長さ方向には実質的には伸びず、且つ、巻回が可能に柔軟とされているので、コードが水平に設定された状態で回転部材と係合されなくとも、該回転部材に係合されるコードに無理な力がかからず、また、回転部材のコード上での回転に支障となることもない。
【００１０】
また、駆動用コードは、戸車のような被ガイド部材の引戸の閉扉方向での内側位置に隣接して設けられるコード持ち上げ部材によって持ち上げられるので、該コードと被ガイド部材とが係合しないようにすることが可能であり、引戸の閉扉操作を円滑に行うことを可能とする。
【００１１】
コード持ち上げ部材は、引戸の上縁面に固定される支持部材と、該支持部材に支持され、引戸の開閉方向に対して直交する方向で水平に延びる軸線の周りに回転可能とされたローラを備え、該ローラがようにすることができる。ローラを用いることにより、コードとコード持ち上げ部材との間の摩擦を少なくし、円滑で静かな開閉を可能とする。
【００１２】
閉扉駆動用コードがその長さ方向に沿って一定ピッチで設けられたラック歯を有し、該ローラの周面が該ラック歯に噛合するピッチで設けられた歯を有するようにすることもできる。コードにラック歯を設けた場合には、ローラにこのような歯を設けることにより円滑で静かな開閉を可能とする。
【００１３】
該閉扉駆動装置が、ケーシングを有し、該ケーシングが該回転部材、該係合保持部材、及び該バネ装置を保持するようにすることができる。これにより、当該閉扉駆動装置の取り付け取り外しが容易になる。
【００１４】
被ガイド部材が、該開閉方向における引戸の上部両端の隅部に形成された設定凹部に嵌合固定される基部と、該基部に支持されて該ガイド部材によって案内される上方位置と、該上方位置よりも下方の下方位置との間で変位可能な被ガイドバーとを有し、該コード持ち上げ部材の支持部材が該被ガイド部材の基部に固定されており、該基部を該引戸の設定凹部に嵌合固定することにより当該コード持ち上げ部材を設定するようにすることができる。被ガイド部材とコード持ち上げ部材とを一体として、それらの取り付けをより簡単にすることができる。
【００１５】
この場合、被ガイド部材は、該開閉方向における引戸の上部両端の隅部に形成された設定凹部に嵌合固定される基部と、該基部に固定された支持部材と、該支持部材に支持され、引戸の開閉方向に対して直交する方向で水平に延びる軸線の周りに回転可能とされ、該ガイド部材によって開閉方向に案内される戸車とを有するものとすることができる。
【００１６】
コード持ち上げ部材は、当該持ち上げ部材の支持部材に設定されて該ローラを回転可能に支持するリンク機構を有し、該リンク機構が、コード持ち上げ部材が引戸に取り付けられたときに引戸の上縁面の端部から引戸の開閉方向における外方に延出する設定部材を有し、該設定部材を上縁面に沿って引戸の開閉方向における内方に押し込むことによりリンク機構が立ち上がり、ローラが所定の設定位置となるようにすることができる。引戸を戸枠内に設置する場合、引戸の上縁面と上部枠部との間にはわずかな隙間しかないので、このようにすることにより、コード持ち上げ部材の取り付けをしやすくすることができる。
【００１７】
この場合、閉扉駆動用コードの開扉位置側端部に連結されて引き戸の開閉方向で伸縮可能な部材を有し、開扉位置端部が伸縮可能な部材を介して戸枠に取り付けられるようにすることができる。閉扉駆動用コードを取り付けやすくするものである。伸縮可能な部材はコイルバネとすることができる。
【図面の簡単な説明】
【００１８】
【図１】本発明に係る自動閉扉装置を取り付けた引き戸装置の概要を示す図であり、一部を切欠いて示してある。
【図２】同自動閉扉装置の要部を示す図で、（Ａ），（Ｂ），（Ｃ）はそれぞれ、図１におけるＡ，Ｂ,Ｃを示す。
【図３】同自動閉扉装置の主に開閉駆動装置の内部を示す図である。
【図４】図３の閉扉駆動装置の平面図である。
【図５】同自動閉扉装置のガイド部材及び被ガイド部材の関係を示す図である。
【図６】同自動閉扉装置の第１０の実施形態を示すものであり、（ａ）は巻き過ぎ防止部材の他の態様を示す図であり、（ｂ）はそのＢ−Ｂ断面図である。
【図７】図３に示す開閉駆動装置の一部を示す部分断面図である。
【図８】図７のIIXで示す部分の拡大図である。
【図９】開閉駆動装置の他の実施形態を示す断面図である。
【図１０】引戸に設置する前のコード持ち上げ部材の他の変形例を示す。
【図１１】図１０の持ち上げ部材を引戸に設置した状態を示す。
【図１２】コード持ち上げ部材の更に別の変形例を示し、引戸に取り付けた状態ではあるが、最終的設置状態になる前の状態を示している。
【図１３】図１２のコード持ち上げ部材であって、最終的設置状態を示している。
【図１４】コード持ち上げ部材の他の変形例を示し、引戸に取り付けた状態ではあるが、最終的設置状態になる前の状態を示しており、（ａ）はその平面図、（ｂ）は断面側面図である。
【図１５】図１４の持ち上げ部材を引戸に設置した状態を示し、（ａ）はその平面図、（ｂ）は断面側面図である。
【図１６】図１４及び図１５の摺動部材を示し、（ａ）は平面図、（ｂ）は側面図、（ｃ）は右端面図である。
【図１７】図１４及び図１５のコード持ち上げ部材の支持部材を示し、（ａ）は平面図、（ｂ）は側面図、（ｃ）は右端面図である。
【発明を実施するための最良の形態】
【００１９】
以下、本発明の実施形態を添付図面に基づき説明する。
【００２０】
図１は、本発明に係る引き戸の自動閉扉装置１０を取り付けた引き戸装置１２を示す。
【００２１】
図示のように、この自動閉扉装置１０は、戸枠１４の上部枠部１６に固定された閉扉位置側端部２４と開扉位置側端部２６とを有する閉扉駆動用コード１８と、引き戸２０の上縁面２０−１の略中央位置に設けた凹部２０−２内に嵌合設定され、閉扉駆動用コード１８に作用的に連結されている閉扉駆動装置２２とを有する。
【００２２】
引き戸２０は、その上縁面の引き戸の開閉方向における両端部近くにおいて該上縁面２０−１上に取り付けられた被ガイド部材２３（図示の例では、図２に示す如く上縁面２０−１から突出した支持部材２３−１の前後に回転可能に取り付けられ、且つ、図５に示すごとく前後それぞれ、左右に一対ずつ配置された戸車２３−２）を有し、該被ガイド部材２３が、戸枠１４の上部枠部１６に沿って設けられたガイド部材２５（図５）に係合して、引き戸２０が開閉されるときにガイド部材２５によって開閉方向に案内されるようにされている。
【００２３】
閉扉駆動用コード１８は、実質的にその長さ方向へは伸びず、且つ、巻回が可能な程度に柔軟とされ、引き戸２０の開閉方向（図示の例では水平方向）に延びるようにして、両端にある閉扉位置側端部２４及び開扉位置側端部２６が上部枠部１６に取り付けられている。巻回が可能な程度に柔軟とは、前述の特開平１１−１５２９５５に開示されているような、合成樹脂や金属でできているラックのように、細長く作られているために、開閉される引き戸が上下動するのに対応するような程度に可撓性を有するというのではなく、例えば、直径数十センチ程度に巻き取ることができる程度に柔軟なことを意味する。本願発明者が行った試作品では、直径３０ｃｍ程度に巻取りが可能な程度に柔軟なラックを用いることにより、取付けがきわめて容易で、しかも、円滑な開閉操作が可能な自動閉扉装置とすることができた。
【００２４】
この閉扉駆動用コード１８は、具体的には、鋼などの芯線の周りに設けられた硬質の樹脂層とからなり、図２に示すように、該樹脂層に当該閉扉駆動用コードの長さ方向に沿って一定ピッチでラック歯２８を形成したものとすることができる。閉扉位置側端部２４及び開扉位置側端部２６には、ハトメなどを取り付け、上部枠部１６にネジなどにより取り付けることができる。
【００２５】
閉扉駆動装置２２は、引き戸２０の上縁面２０−１の凹部２０−２内に嵌合固定されるケーシング３０と、該ケーシングに回転可能に取り付けられた回転部材としての歯車３２と、閉扉駆動用コード１８のラック歯２８を歯車３２の歯３４に係合させ、該引き戸２０が開閉されるのに伴い該歯車３２が閉扉駆動用コード１８に沿って転動するようにする係合保持部材３６と、歯車３２の内側に該歯車と同心状に設けられたゼンマイバネ３７を有し、引き戸２０が閉扉位置から開扉位置に向けて動かされるときの歯車３２の転動に伴い、該歯車３２を該転動と反対方向に転動させるバネ付勢力をゼンマイバネ３７が蓄勢するようにしたバネ装置とを有する。
【００２６】
バネ装置は、具体的には、ゼンマイバネ３７の一端が歯車３２と同軸状に設けられた軸体３９に連結され、他端が歯車３２の内壁面に連結されている。該軸体３９は、図２で見て、その手前側の端部に固定されたバネ付勢力調整部材５２の外周面に設けられた係止凹部５２−２の１つに係止部材４２を係合させることにより、所要の角度位置に保持されるようになっている。具体的には、バネ付勢力調整部材５２は、その中央部分に設けられた直線状の溝５２−１にドライバの先端を係合させて回転することにより当該軸体３９を回転し、該軸体の周りでのゼンマイバネの巻き込みの程度を調節するようになっており、係止部材４２は、細長いバネ部材を折り曲げて形成したものであり、ケーシング３０に固定された水平部分４２−１から立ち上げられ丸められた先端係止部４２−２を、所要量だけ回転されたバネ調整部材５２の凹部５２−２に係合させることにより、当該バネ調整部材５２をその回転位置に係止するようになっている。
【００２７】
係合保持部材３６は、ケーシング３０の頂壁３０−１上に固定されており、閉扉駆動用コード１８を通す水平のコード挿通路３６−１を画定する上部壁３６−２及び下部壁３６−３を有し、コード挿通路３６−１を通された閉扉駆動用コード１８が、当該係合保持部材３６の下部壁３６−３を通してコード挿通路３６−１内に臨む歯車３２とケーシング３０の頂壁３０−１との間に挟まれ、閉扉駆動用コードと歯車の歯２８，３４が噛合され外れないようにしている。
【００２８】
図示の例では、閉扉駆動装置２２は、歯車３２に噛合された歯車３８を有し、引き戸３２の閉扉位置に向けての動きに伴い歯車３２が回動されるときに、該回動を制動し引き戸に制動をかけるための制動装置４０が設けられている。この制動装置は、例えば上述した特開平１１−１５２９５５などに開示されており当業者には周知であるので、詳細な説明は省略する。
【００２９】
また、図示の例では、上述のバネ装置におけるゼンマイバネ３７の巻き過ぎを防止するための巻き過ぎ防止部材５８が設けられている。該巻き過ぎ防止部材５８は、図６にその詳細が示されており、全体としては円環状に形成されている。該巻き過ぎ防止部材の外周面は大径部５８−１及び小径部５８−２を有し、小径部５８-２には、周方向で等間隔を開けて複数の凹部６２が設けられている。内周面５８−３は全体として円形とされており、図７に示すように第２の軸体としてケーシング３０から突出する軸部３０−１に嵌合され、当該巻き過ぎ防止部材５８が、該軸部３０-１の周りで回転可能としている。該内周面５８−３には、軸部３０−１の外周面に押圧係合して、該軸部の周りでの当該巻き過ぎ防止部材５８の回転に対する抵抗力を付与する回転力抵抗部材８４が、等間隔で設けられている。各回転力抵抗部材８４は、内周面５８−３に設けられた凹部８４−２の底面から半径方向内側に突出して、その先端部分が該内周面５８−３の内側位置となり、軸部３０−１に押圧係合するようにした凸部８４−１により構成されている。この回転力抵抗部材を有することで、摩擦力による巻き過ぎ防止部材の回転方向における抵抗力を付与している。
【００３０】
上記のごとき巻き過ぎ防止部材５８に対して、バネ付勢力調整部材５２には、その外周面に１つの凸部６４が設けられ、バネ付勢力調整部材が一回転される毎に、該凸部６４が凹部６２と係合して、巻き過ぎ防止部材５８を所定角度だけ回動するようになっている。
【００３１】
バネ付勢力調整部材５２が回転されて、凸部６４が凹部６２の無い大径部５８−１と係合するようになると、該バネ付勢力調整部材が更に回転しようとしても、その回転が該巻き過ぎ防止部材５８により阻止されて、ゼンマイバネの巻き過ぎが防止されるようになっている。
【００３２】
図８に示すように、バネ付勢力調整部材５２の凸部６４は、その幅方向中央部分に半円形状の凹部６８が形成されている。これは、該凸部６４が係止部材４２の先端係止部４２−２のところを通るときに、該凹部６８が先端係止部４２−２を跨ぐようにして通過できるようにするものである。
【００３３】
図１及び図２に示すように、自動閉扉装置１０では更に、各被ガイド部材２３に対応して各被ガイド部材よりも開閉方向における内側において上部枠部１６に取り付けられたコード持ち上げ部材２７が設けられており、該コード持ち上げ部材２７が閉扉駆動装置２２のケーシング３０から開扉位置側端部２６及び該閉扉位置側端部２４に延びる閉扉駆動用コード１８にその下側から係合して上方へ持ち上げるようになっており、閉扉駆動用コード１８が被ガイド部材２３に直に係合しないようにしている。この実施形態においては、コード持ち上げ部材２７は、引戸の上縁面に固定された支持部材２７−１に対して回転可能に支持されたローラ２７−２を備えている。ローラ２７−２には、閉扉駆動用コード１８に設けられているラック歯と同じピッチをもった歯を設けるようにすることができる。
【００３４】
図１０及び図１１は、被ガイド部材２３及びコード持ち上げ部材２７を１つのユニットにて引戸２０に取り付けるようにした例を示している。すなわち、コード持ち上げ部材２７は、支持部材２７−１が固定された逆Ｌ字状の取付部材２７−１０が、被ガイド部材２３の支持部材２３−１の矩形状とされた基部２３−３にビスにより固定されており、該基部２３−３を引戸２０の上部角部分に形成された矩形状の設定凹部２０−１にその側方から嵌合し適宜の固定手段によって固定することにより引戸２０に対するこれら被ガイド部材２３及びコード持ち上げ部材２７の取り付けを行うようになっている。
【００３５】
図１２及び図１３は、被ガイド部材２３及びコード持ち上げ部材２７の他の実施形体及びその取り付け方法が示されている。被ガイド部材２３は、図１０及び図１１に示したものと同様の矩形の基部２３−３を有し、該基部から上下方向で変位可能とされ、バネ２３-５により図示の上方位置に付勢された被ガイドバー２３−４を有する。この被ガイドバー２３−４は、上述の実施形態における戸車２３−２に代わるものであり、ガイド部材２５によって引戸の開閉方向に案内される。コード持ち上げ部材２７は、基部２３−３の上面に固定されて（図で見て）右方に延び、引戸の上縁面２０−１に固着された支持部材２７−１と、基部２３-３の上面に（図で見て）左右の方向に摺動可能に取り付けられた摺動部材２７−３と、一端がそれぞれ支持部材２７−１と摺動部材２７−３に枢着されたリンク２７−４，２７−５と、該リンク２７−４，２７−５相互間の枢着軸線の周りで回動可能に取り付けられた歯付きローラ２７−２とから構成されている。このように１つのユニットとして構成された被ガイド部材２３及びコード持ち上げ部材２７を引戸に設置する場合は、先ず、図１０及び図１１の場合と同様に、引戸２０の上隅部に形成された凹部２０−１に基部２３−３を嵌合し、適宜の手段で、該基部２３−３及び支持部材２７−１を引戸に固定し、図１２に示す状態とする。次に、摺動部材２７−３を（図で見て）右方に押し込み、リンク２７−４，２７−５を折り畳むようにして歯付きローラ２７−２を図１３に示すごとく上昇させ、当該持ち上げ部材２７を図１３に示す如き設置位置とする。引戸を戸枠内に設置する場合、被ガイド部材２３はバネ２３−５に抗して押し下げた状態とし、戸枠の上縁部部分にあたらないようにする。
【００３６】
図１４及び図１５は、被ガイド部材２３及びコード持ち上げ部材２７の更に別の実施形体を示している。この実施形態は、基本的には、図１２及び図１３に示したものと実質的には同じであり、歯付きローラ２７−２がリンク２７−４，２７−５の枢着軸線の周りで回転可能に取り付けられており、摺動部材２７−３を図１４の（ｂ）の位置から図１５の（ｂ）の位置まで押し込むことにより、歯付きローラ２７−２を図１５の（ｂ）の設置位置とするようになっている。この実施形態では、図１２及び図１３の実施形態と異なり、歯付きローラ２７-２の回転軸の両端に該ローラを挟むように設定された一対のガイドディスク２７−６が設けられており、歯付きローラ２７−２に係合され持ち上げられる閉扉駆動用コード１８が歯付きローラ２７−２から外れないようにしている。更に、リンク２７−５は、その一端に設けられ水平に延びる連結ロッド２７−８が、摺動部材２７-３の右端に設けられ戸車の第２の凹部２０-２内を摺動可能とされた支持部２７−７に形成された上下方向に延びるスロット２７−１３内に上下動可能に支持されており、摺動部材２７−３が押し込まれて、支持部２７−７が第２の凹部２０−２内を右方へ摺動されるときに、第２の凹部２０-２内に設定されているカム部材２７−９によって図１５の（ｂ）の位置まで案内されるようになっている。図中２７−１１は、被ガイド部材２３を通すために摺動部材２７-３に形成されたスロットであり、２７−１２はリンク２７−４の一端を支持部材２７−１に枢支するための枢支部である。
【００３７】
すなわち、この実施形態に係る閉扉駆動装置２２においては、巻き過ぎ防止部材５８は設けられていない。また、バネ付勢力調整部材５２は六角形とされており、係止部材４２は、細長いバネ部材を折り曲げてC字状にされており、その平行な部分が係止部材の対向する側面５２−３と係合することにより、該バネ付勢力調整部材５２の角度位置を固定するようになっている。
【００３８】
この実施形態において特に特徴とするところは、閉扉駆動用コード１８の開扉位置側端部２６にコイルバネ４４が取り付けられ、当該開扉位置側端部２６が該コイルバネを介して上部枠部１６に取り付けられているということである。
【００３９】
このようにすることにより、コイルバネを僅かに伸びるような状態で該閉扉駆動用コードを上部枠部に取り付けることにより、当該コードをたるみのない状態で設定することができる。また、その取付位置も、コイルバネにより限定されたものとならず、容易に設置できる。
【００４０】
本発明の実施形態につき説明したが、本発明はこれに限定されるものではなく、たとえば、回転体としての歯車をＶ形プーリのようなものとし、閉扉駆動用コードをＶベルトとすることも可能である。
【符号の説明】
【００４１】
自動閉扉装置１０；引き戸装置１２；戸枠１４；上部枠部１６；閉扉駆動用コード１８；引き戸２０；上縁面２０−１；凹部２０−２；閉扉駆動装置２２；被ガイド部材２３；支持部材２３−１；戸車２３−２；基部２３−３；被ガイドバー２３−４；バネ２３-５；閉扉位置側端部２４；ガイド部材２５；開扉位置側端部２６；コード持ち上げ部材２７；支持部材２７−１；ローラ２７−２；摺動部材２７−３；リンク２７−４，２７−５；ガイドディスク２７−６；支持部２７−７；連結ロッド２７−８；カム部材２７−９；取付部材２７−１０；スロット２７−１１；枢支部２７−１２；スロット２７−１３；ラック歯２８；ケーシング３０；歯車３２；歯３４；係合保持部材３６；３７ゼンマイバネ；歯車３８；軸体３９；制動装置４０；コイルバネ４４；バネ付勢力調整部材５２；溝５２−１；係止凹部５２−２；巻き過ぎ防止部材５８；凸部６４；凹部６８
【図１】
2010255314.tif 000003
【図２】
2010255314.tif 000004
【図３】
2010255314.tif 000005
【図４】
2010255314.tif 000006
【図５】
2010255314.tif 000007
【図６】
2010255314.tif 000008
【図７】
2010255314.tif 000009
【図８】
2010255314.tif 000010
【図９】
2010255314.tif 000011
【図１０】
2010255314.tif 000012
【図１１】
2010255314.tif 000013
【図１２】
2010255314.tif 000014
【図１３】
2010255314.tif 000015
【図１４】
2010255314.tif 000016
【図１５】
2010255314.tif 000017
【図１６】
2010255314.tif 000018
【図１７】
2010255314.tif 000019